(57)【要約】【課題】  ウェットティッシュ等の容器についての技術課題としては相互に脈絡の無い製造流通時における効率化を達成、店頭での定置の安定化、使用者にとっての使い勝手の向上等の種々の問題を一挙に解決できる手法を提案しようとするものである。【解決手段】  本発明の機能拡張したウェットティッシュＷ等の容器１は、内部を収納部１４とする有底の容器本体１０と、容器本体１０の上部を塞ぐ蓋本体１５とを具え、この蓋本体１５は、蓋天部１７に内容物の取出部１９を具えるとともに、この取出部１９は、蓋本体部１５と一体であって、ヒンジ部１８Ａを開閉基部とした取出蓋１８により、閉鎖されるように構成されている容器において、前記容器の上部には、更に保護キャップ３が外嵌状態に被せられていることを特徴として成るものである。【選択図】図１
2011131913.tif 000002
【特許請求の範囲】
【請求項１】
内部を収納部とする有底の容器本体と、容器本体の上部を塞ぐ蓋本体とを具え、この蓋本体は、蓋天部に内容物の取出部を具えるとともに、この取出部は、蓋本体部と一体であって、ヒンジ部を開閉基部とした取出蓋により、閉鎖されるように構成されている容器において、前記容器の上部には、更に保護キャップが外嵌状態に被せられていることを特徴とする機能拡張したウェットティッシュ等の容器。
【請求項２】
前記保護キャップが容器本体の上部を保護することにより、流通段階の保護を目的とした容器全体を包むシュリンクラップフィルムが廃されていることを特徴とする前記請求項１記載の機能拡張したウェットティッシュ等の容器。
【請求項３】
前記保護キャップのキャップ天部は、容器本体の底部の形状と緩係合できる形状に形成されていることを特徴とする前記請求項１または２記載の機能拡張したウェットティッシュ等の容器。
【請求項４】
前記保護キャップと、前記容器における蓋本体の蓋天部との間には適宜空間のユーティリティスペースが設けられ、このユーティリティスペースを利用して付属アイテムが同梱されることを特徴とする前記請求項１、２または３記載の機能拡張したウェットティッシュ等の容器。
【請求項５】
前記付属アイテムは、吸盤であり、このものは、容器本体に対して取り付け自在に構成されていることを特徴とする前記請求項４記載の機能拡張したウェットティッシュ等の容器。
【発明の詳細な説明】
【技術分野】
【０００１】
本発明は、ウェットティッシュ等の容器に関するものであって、特にその機能を拡張した容器に係るものである。
【背景技術】
【０００２】
例えば、除菌効果を有するアルコール等を含ませたウェットティッシュは、アルコール成分の蒸散を防ぎながら且つ日常的な使い勝手を考慮して、緩密封容器に収納されている。具体的には、ウェットティッシュは、円筒状の容器本体の上方にネジ嵌め状の蓋本体を設けた容器本体内に、ロール状に巻かれた状態で収納され、取り出される際に弱化線において単葉状に切り離して使用される。
そしてこの容器は、製造流通段階における更なる改良点、あるいは消費者が使用する際の使い勝手の向上の改良等の幾つかの課題を有している。
【０００３】
まず製造流通段階では、容器外周の保護のため、全体が熱収縮性のシュリンクラップフィルムで覆われている。この手法は、製造時にラップフィルムを熱収縮させるために一定の加工時間を要すること、及びシュリンク加工時のばらつきが僅かとは言え、不可避であり、１００％の歩留率を達成できないこと等が相まって、生産効率を向上させることの阻害要因となっていた。
また別途店頭でのストック形態においては、容器の蓋本体の形状に起因した不都合が存在する。即ち蓋本体は、蓋天部に対して、取り出し蓋が蓋本体と一体形成された上でヒンジ構造を具えていることから、そのヒンジ部が僅かではあるものの上方に突出した形状となっている。この突出したヒンジ部の存在により容器を積み重ね状にディスプレイした場合、上方のものは、図６に強調して示すように傾いてしまうものであり、安定した積み重ね状態が得られない。もちろん実際上は、いわゆる量販店の店頭では、積み重ねによる商品の倒壊が生じない程度の段数に積み重ねてディスプレイをしているものの、不安定であることは解決されていない。
【０００４】
また使用者が使用する段階において、ウェットティッシュを一枚毎取り出すにあたっては、収納されているウェットティッシュは、ロール状に連続したものであり、単葉毎に弱化線で切り離ししやすい形状を有しているものの、取り出し部から取り出すにあたって片手操作で取り出すことはできない。
【発明の概要】
【発明が解決しようとする課題】
【０００５】
本発明は、これらの種々の背景を考慮してなされたものであって、技術課題としては相互に脈絡の無い種々の問題を、一挙に解決できる手法を提案しようとするものである。
【課題を解決するための手段】
【０００６】
請求項１記載の機能拡張したウェットティッシュ等の容器は、内部を収納部とする有底の容器本体と、容器本体の上部を塞ぐ蓋本体とを具え、この蓋本体は、蓋天部に内容物の取出部を具えるとともに、この取出部は、蓋本体部と一体であって、ヒンジ部を開閉基部とした取出蓋により、閉鎖されるように構成されている容器において、前記容器の上部には、更に保護キャップが外嵌状態に被せられていることを特徴として成るものである。
【０００７】
請求項２記載の機能拡張したウェットティッシュ等の容器は、前記請求項１記載の要件に加え、前記保護キャップが容器本体の上部を保護することにより、流通段階の保護を目的とした容器全体を包むシュリンクラップフィルムが廃されていることを特徴として成るものである。
【０００８】
請求項３記載の機能拡張したウェットティッシュ等の容器は、前記請求項１または２記載の要件に加え、前記保護キャップのキャップ天部については、容器本体の底部の形状と緩係合できる形状に形成されていることを特徴として成るものである。
【０００９】
請求項４記載の機能拡張したウェットティッシュ等の容器は、前記請求項１、２または３記載の要件に加え、前記保護キャップと、前記容器における蓋本体の蓋天部との間には適宜空間のユーティリティスペースが設けられ、このユーティリティスペースを利用して付属アイテムが同梱されることを特徴として成るものである。
【００１０】
請求項５記載の機能拡張したウェットティッシュ等の容器は、前記請求項４記載の要件に加え、前記付属アイテムについては、吸盤であり、このものは、容器本体に対して取り付け自在に構成されていることを特徴として成るものである。
【発明の効果】
【００１１】
まず請求項１記載の発明によれば、実質的に保護が必要とされる容器上部を保護キャップにより効果的に保護することができる。
【００１２】
また請求項２記載の発明によれば、従来製造効率の向上を阻んでいたシュリンクラップフィルムによる包装が不要となるものであり、生産効率の向上が図られる。
【００１３】
また請求項３記載の発明によれば、保護キャップが被されることにより、蓋本体におけるヒンジの突起が覆われ、且つその形状は容器本体の底部形状と緩係合するような形状を具えていることから、容器を積み重ねる際の安定性が良く、店頭でのディスプレイにあたっても安定した状態が確保される。
【００１４】
また請求項４記載の発明によれば、保護キャップを設けることにより容器上部との間にユーティリティスペースが設けられ、このユーティリティスペースを利用して、販促品、あるいは他の機能部材を同梱し得るものであり、これにより商品としての独自性をより発揮することができる。
【００１５】
また請求項５記載の発明によれば、前記付属アイテムは吸盤であり、このものを容器本体と組み合わせ、この吸盤を適宜の位置に設置して固着させることにより、容器を安定的に設置することができ、結果的に片手でのウェットティッシュの取り出し操作が可能となる。
【図面の簡単な説明】
【００１６】
【図１】本願発明の機能拡張したウェットティッシュ等の容器を示す一部拡大斜視図並びに保護キャップを分解して示す斜視図である。
【図２】同上分解斜視図である。
【図３】同上一部拡大図を含む分解縦断面図である。
【図４】本願発明の機能拡張したウェットティッシュ等の容器のユーティリティスペースの利用態様を示した縦断面図並びに固定具の作用状態を示す説明図である。
【図５】本願発明の機能拡張したウェットティッシュ等の容器の梱包状態を示した平面図並びに一部拡大平面図である。
【図６】本願発明の機能拡張したウェットティッシュ等の容器を上方に積み重ねられた状態を従来型と比較して示す側面図である。
【発明を実施するための形態】
【００１７】
本発明を実施するための形態は、以下述べる実施例をその一つとするものであると共に、この技術思想に基づく種々の改良した実施例をも含むものである。
【実施例１】
【００１８】
以下、本発明を図示の実施例に基づいて具体的に説明する。
まず、容器１について説明する。このものは、大別すると容器本体１０と、その上部に取り付けられる蓋本体１５とを具えてなる。容器本体１０は、一例として有底円筒状の本体胴部１１に対し、その底部寄りに本体底部１２が一体形成されるとともに反対側の上方部位を本体上部１３とする。そして容器本体１０の内部がウェットティッシュＷの収納部１４となる。
【００１９】
なお、ここでウェットティッシュＷについて説明すると、このものは一例として長尺の素材がロール状に形成されて収納されているものであり、このロール状のものをウェットティッシュロールＷＲとして示す。そしてウェットティッシュロールＷＲは、短寸のスリットからなる弱化線ＷＳを有し、この弱化線ＷＳから切り離されてウェットティッシュ単葉ＷＬが引き出されるものである。そして、収納部１４に対しては、ウェットティッシュＷは、ウェットティッシュロールＷＲの状態で巻芯方向を上下方向に配置して収納されており、ウェットティッシュＷの中心からウェットティッシュ単葉ＷＬが引き出されてゆくように収納されている。
【００２０】
更に本体底部１２は、その下方に底部段差１２Ａを具え、本体胴部１１より本体底部１２側の径を幾分か太くしている。一方本体上部１３は、その下方寄りに蓋当たり段差１３Ａを具え、その上方に本体オネジ部１３Ｂを具え、更にその上縁を本体開口部１３Ｃとする。なお図１、図３、図４に示す符号１３Ｅは、前記蓋当たり段差１３Ａの下部傾斜縁である。そしてこの本体開口部１３Ｃは、流通段階においてウェットティッシュＷに含ませたアルコール分が放散してしまうことを防ぐために、開口部シートフィルム１３Ｓが貼り付けられている。
【００２１】
次に蓋本体１５について説明する。この蓋本体１５の主要構成部材は、容器本体１０にねじ込まれる部分である蓋胴部１６と、この蓋胴部１６と一体で上面を覆う蓋天板１７と、更に蓋天板１７に一体に設けられている取出蓋１８と、蓋天板１７のほぼ中央に形成される取出部１９とである。
蓋胴部１６には、その内側に前記本体オネジ部１３Ｂと噛み合う蓋メネジ１６Ａが形成されている。一方蓋天板１７には、その上部に取出蓋収まり部１７Ａが凹陥形成されている。また、この取出蓋１８は、ヒンジ１８Ａにおいて蓋本体１５の蓋天板１７と回動自在に接続され、ヒンジ１８Ａと反対側の自由端側を開放用の指掛け端部１８Ｂとする。このヒンジ１８Ａは、側面視で蓋天板１７の上面より僅かに突出している。そして、取出蓋１８は、円環状の外シールリブ１８Ｃをその内側（下面）に形成している。
更に取出部１９は、前記ウェットティッシュＷを実質的に引き出す引き出しスリット１９Ａを中央部に具えるものであり、一例としてこの引き出しスリット１９Ａは、平面視十字状に形成されている。このような引き出しスリット１９Ａの形成により、実質的に喰込フラップ１９Ｂがその間に形成される。更に、引き出しスリット１９Ａを囲むように内シールリブ１９Ｃが設けられ、この内シールリブ１９Ｃに対し、前記取出蓋１８における外シールリブ１８Ｃが蓋閉め状態において外周側に弾性的に被せられるようにして密着する。
【００２２】
このような容器１に対し、保護キャップ３を取り付ける。
この保護キャップ３は、蓋本体１５が容器本体１0 に組みつけられた状態、いわば完成状態の容器本体１０の上部に緩係合状態に外被せ状に取り付けられる。
具体的には、容器１に外嵌できるような内径寸法を有するキャップ胴部３０に対して、その上部に閉鎖状態のキャップ天部３１が設けられている。そして、キャップ天部３１の上面にはスタッキングガイド３２が円環リブ状に上方に向けて突出形成されている。
またキャップ胴部３０の下端縁には、内側に張出す係合リブ３３が設けられており、一例としては、容器１に対しては、本体上部１３における蓋当あたり段差１３Ａの下部傾斜縁１３Ｅに係合するような高さ寸法を有している。
なおこの保護キャップ３は、例えばインジェクション成形、あるいはブロー成形などの適宜の手法を用いて成形した樹脂製部材であることが好ましい。
【００２３】
そして、この保護キャップ３は、図５に示すように容器１に対し、その上部に外嵌された状態で容器１の上部の保護を行いながら、適宜のカートンＣに収納されて流通段階に提供される。この結果、容器１全体を熱収縮性のラップフィルムで覆って、製品を保護する手法を廃することができる。
そして、このような保護キャップ３を組み付けた状態では、図６に示すように前記スタッキングガイド３２が、別途上方に積み重ねられた、他の容器本体１０の底面形状に緩係合するような状態となり、その保護キャップ３が被せられた容器１の上方に順次別の容器１を安定的に積み重ねることができる。即ちこのような安定的な積み重ねを阻害していたヒンジ１８Ａの上方への突出部は、前記保護キャップ３により覆われて、見かけ上容器１の上面が容器１の底面に馴染む形状を発現しているのである。
【００２４】
加えて保護キャップ３の寸法設定の好ましい一例としては、図１、図３、図４に拡大して示すように保護キャップ３における係合リブ３３は、蓋当たり段差１３Ａの下部傾斜縁１３Ｅの傾斜途中に当接するように構成する。このようにするときは、係合リブ３３は図中点Ｐで示す位置で常にその部位を締め付け、密着機能をより確実に奏するのである。なお使用者は、状況に応じ、この保護キャップ３を常時被せた状態としておき、使用の都度これを取り外してウェットティッシュＷを使用してもよいし、保護キャップ３を利用しないで従来と同様ウェットティッシュＷの取り出し使用を行ってもよい。
【００２５】
〔他の実施の形態〕  
本発明は以上述べた実施の形態を一つの基本的な技術思想とするものであるが、更に図５に示すように次のような改変が考えられる。
【００２６】
まず請求項４及び請求項５に記載するように、保護キャップ３の高さ（深さ）を更に増し、容器１に組み付けた状態において、保護キャップ３のキャップ天部３１と容器本体１０の蓋天板１７との間に充分なユーティリティスペースＳが確保できるような形態がとることができる。そして、このユーティリティスペースＳを利用して、付属アイテム４を同梱することができる。付属アイテム４としては、販促用ノベルティグッズとしてミニチュアカー４Ａや、恐竜等のミニチユア４Ｂ等であっても良いし、また機能拡張するために、吸盤等の固定具４０等が挙げられる。この固定具４０を同梱した場合には、容器本体１０の例えば本体底部１２に固定具を取り付けられるような係合突起１２Ｂを形成しておく一方、固定具４０側にも係合凹部４１を形成しておく。そして使用にあたっては、固定具４０を取り出し、容器１と固定具４０とを組み付け、固定具４０の作用によって、容器１を設置部に安定的に固定設置する。このように容器１を固定することができれば図４（ｂ）に示すように、片手操作によりウェットティッシュ単葉ＷＬの取り出しができる。
【符号の説明】
【００２７】
１      容器
１０    容器本体
１１    本体胴部
１２    本体底部
１２Ａ  底部段差
１２Ｂ  係合突起
１３    本体上部
１３Ａ  蓋当たり段差
１３Ｂ  本体オネジ部
１３Ｃ  本体開口部
１３Ｅ  下部傾斜縁
１３Ｓ  開口部シートフィルム
１４    収納部
１５    蓋本体
１６    蓋胴部
１６Ａ  蓋メネジ
１７    蓋天板
１７Ａ  取出蓋収まり
１８    取出蓋
１８Ａ  ヒンジ
１８Ｂ  指掛け端部
１８Ｃ  外シールリブ
１９    取出部
１９Ａ  引き出しスリット
１９Ｂ  喰込フラップ
１９Ｃ  内シールリブ
３      保護キャップ
３０    キャップ胴部
３１    キャップ天部
３２    スタッキングガイド
３３    係合リブ
４      付属アイテム
４Ａ    ミニチュアカー
４Ｂ    ミニチユア
４０    固定具
４１    係合凹部
Ｃ      カートン
Ｓ      ユーティリティスペース
Ｗ      ウェットティッシュ
ＷＲ    ウェットティッシュロール
ＷＬ    ウェットティッシュ単葉
ＷＳ    弱化線
【図１】
2011131913.tif 000003
【図２】
2011131913.tif 000004
【図３】
2011131913.tif 000005
【図４】
2011131913.tif 000006
【図５】
2011131913.tif 000007
【図６】
2011131913.tif 000008